(57)【要約】      （修正有）【課題】従来のアク取り器具は、広範囲なアクと調理材料隙間とのアクを取る兼用には不便であった。また使用後の清掃と乾燥に手間取り、見た目も悪い。そして、主要部劣化に際し、主要部のみの交換は不可能で、資源の無駄使いである。【解決手段】扁平金属線条材、或いは金属線条材をカール又はコイル状としたものを金属タワシの如くに密に纏め、或いは圧縮して纏め、任意の形に整形した主要部７と、これを固定する器具３で一体化を成し、縦・横・斜めと、どのような方向からもアクを吸い、洗浄も容易であり、且つ水切れが良く、また、主要部７劣化に際して、交換が簡単なことを特徴とするアク取り器具。【選択図】図１
2011177470.tif 000002
【特許請求の範囲】
【請求項１】
扁平金属線条材、或いは金属線条材をカール又はコイル状としたものを金属タワシの如くに密に纏め、或いは圧縮して纏め、任意の形に整形した主要部と、これを固定する器具で一体化を成し、縦・横・斜めと、どのような方向からもアクを吸い、洗浄も容易であり、且つ水切れが良く、また、主要部劣化に際して、交換が簡単なことを特徴とするアク取り器具。
【発明の詳細な説明】
【技術分野】
【０００１】  この発明は、調理時の灰汁（アク）を除去する事に関する。
【背景技術】
【０００２】  従来のアク取り等に用いる器具は、獣毛あるいは化学繊維及び紙・プラスチック及び木などを使用し、普及品は化学製品及び木製品が主流である。
【先行技術文献】
【特許文献】
【０００３】▲１▼  特開平８−２４１４８号公報
▲２▼  実公平７−１６７４３号公報
▲３▼  特開平９−２９９２５７号公報
▲４▼  特開平１０−２３９７７号公報
▲５▼  特開２００１−１０４１７２号公報
▲６▼  特開２００２−２２３９６４号公報
▲７▼  特開２００７−１４７７６号公報
▲８▼  特開２００７−２２２５７７号公報
▲９▼  特開２００７−２３６８８５号公報
▲１０▼  実公平７−２７４３４号公報
▲１１▼  特開平１１−２９９６６１号公報
▲１２▼  特開２００７−４４３２５号公報
▲１３▼  特開２００７−１５９８８９号公報
【非特許文献】
【０００４】  無し
【発明の概要】
【発明が解決しようとする課題】
【０００５】  しかしながら、以上の技術によれば、調理材料が多いときは具材の隙間のアクは取りきれず、また、油材料を使用した場合は、器具の使用後に於ける清掃が煩雑であった。そして製品の劣化時には、主要部及び一体を成す全体を廃棄するに及び、資源保護の観点からも時代に遅れた製品と考える。そこで、本発明は、万遍無くアクが取れ、且つ使用時及び使用後の煩しい手間が無く、且つ主要部のみの交換が可能なアク取り器具を提供することを課題とする。
【課題を解決するための手段】
【０００６】  以上の課題を解決するために、本発明は、扁平金属線条材、或いは金属線条材をカール又はコイル状としたものを金属タワシの如くに密に纏め、或いは圧縮して纏め、任意の形に整形した主要部と、これを固定する器具で一体化を成し、縦・横・斜めと、どのような方向からもアクを吸い、洗浄も容易であり、且つ水切れが良く、また、主要部劣化に際して、交換が簡単なことを特徴とするアク取り器具である。【０００７】  本発明によれば、隅々のアクが取れ、且つ使用後の清掃が簡便であり、また主要部の劣化時には、簡単に交換ができる。
【図面の簡単な説明】
【０００８】
【図１】本発明の一実施形態を示す正面図である。
【図２】本発明の一実施形態を示す側面図である。
【図３】本発明の一実施形態を示す背面図である。
【図４】本発明の一実施形態を示す下面図である。
【発明を実施するための形態】
【０００９】  本発明の一実施形態を、図２に示す。
アク取り器具の形状は、柄部１と主要部を固定する２と３の部材からなる金属や合成樹脂の任意の形状に於いて、主要部７の交換を容易にする為に、２の部材は背面にコイルスプリング４を固着し、想像線の如くに可動する。また、５の部材は主要部を抑えるために２の部材と一部を接合し、柄部１との間には間隙があり運動を邪魔しない。３の部材は柄部１に固定され、６の部材は３の部材に両端を固定し、主要部７の支えとなる。
【００１０】「実施形態の効果」
この実施形態に於いて、主要部側面部分では、調理素材の密集した隙間のアクを、主要部下面の部分では広範囲なアクを良く吸い取り、使用後の清掃ではアクや油汚れが簡単に洗い流せ、且つ短時間にて乾燥する。また、劣化した主要部は、部材２を動かすことによって簡単に交換できた。
「他の実施形態」
図１の実施形態では、部材２と３各々に部材５と６を取り付けて主要部の抑え及び支えとしたが、部材２と３の上面或いは下面に網状のものを貼り付けても同様の効果を得た。
【産業上の利用可能性】
【００１１】既存の製品では使用勝手の悪さと使用後の清掃の煩わしさ、及び見た目の不衛生さ、特に化学繊維製品及び木製品では、油のこびり付きと水切れの悪さが否めなかった。そして、製品劣化の際には、主要部分に一体化している全部を廃棄するに及んだ。しかしながら，本発明はこれらの不足を全て補う画期的なものである。
【符号の説明】
【００１２】１  柄  ２  可動部材  ３  固定部材  ４  コイルスプリング  ５  主要部の押さえ部材６  主要部の支え部材  ７  主要部
【図１】
2011177470.tif 000003
【図２】
2011177470.tif 000004
【図３】
2011177470.tif 000005
【図４】
2011177470.tif 000006
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
扁平金属線条材、或いは金属線条材をカール又はコイル状としたものを金属タワシの如くに密に纏め、或いは圧縮して纏め、任意の形に整形した主要部と、これを固定する器具で一体化を成し、縦・横・斜めと、どのような方向からもアクを吸い、洗浄も容易であり、且つ水切れが良く、また、主要部劣化に際して、可動部を動かす事によって主要部の交換が簡単なことを特徴とするアク取り器具。
【手続補正２】
【補正対象書類名】明細書
【補正対象項目名】０００３
【補正方法】変更
【補正の内容】
【０００３】▲１▼  特開平８−２４１４８号公報
▲２▼  実開平７−１６７４３号公報
▲３▼  特開平９−２９９２５７号公報
▲４▼  特開平１０−２３９７７号公報
▲５▼  特開２００１−１０４１７２号公報
▲６▼  特開２００２−２２３９６４号公報
▲７▼  特開２００７−１４７７６号公報
▲８▼  特開２００７−２２２５７７号公報
▲９▼  特開２００７−２３６８８５号公報
▲１０▼  実開平７−２７４３４号公報
▲１１▼  特開平１１−２９９６６１号公報
▲１２▼  特開２００７−４４３２５号公報
▲１３▼  特開２００７−１５９８８９号公報
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
扁平金属線条材、或いは金属線条材をカール又はコイル状としたものを金属タワシの如くに密に纏め、或いは圧縮して纏め、任意の形に整形した主要部と、これを固定する固定部材３及び主要部の支え部材６と可動部材２及び主要部の押さえ部材３とで一体化を成し、縦・横・斜めと、どのような方向からもアクを吸い、洗浄も容易であり、且つ水切れが良く、また、主要部劣化に際して、可動部を動かす事によって主要部の交換が簡単なことを特徴とするアク取り器具。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
扁平金属線条材、或いは金属線条材をカール又はコイル状としたものを金属タワシの如くに密に纏め、或いは圧縮して纏め、任意の形に整形した主要部と、これを固定する固定部材３及び主要部の支え部材６と可動部材２及び主要部の押さえ部材５とで一体化を成し、縦・横・斜めと、どのような方向からもアクを吸い、洗浄も容易であり、且つ水切れが良く、また、主要部劣化に際して、可動部を動かす事によって主要部の交換が簡単なことを特徴とするアク取り器具。